(57)【要約】【課題】化粧材を位置決めして容易に取り付けることを可能としつつもパネル体に設ける位置決め孔をより小さく抑えることが可能な戸体を提供する。【解決手段】パネル体の表面に化粧材が取り付けられている戸体であって、前記化粧材は、前記パネル体側に向かって突出し互いに間隔を隔てて当該化粧材の一方側と他方側とにそれぞれ配置された位置決め突部を備え、前記パネル体は、各々の前記位置決め突部に対応して設けられ前記位置決め突部が挿入されて前記化粧材が位置決めされる挿入孔を有し、前記一方側に配置された前記位置決め突部と前記他方側に配置された前記位置決め突部とは、互いの間隔を変更可能である。【選択図】図４
2015224430.tif 000002
【特許請求の範囲】
【請求項１】
パネル体の表面に化粧材が取り付けられている戸体であって、
前記化粧材は、前記パネル体側に向かって突出し互いに間隔を隔てて当該化粧材の一方側と他方側とにそれぞれ配置された位置決め突部を備え、
前記パネル体は、各々の前記位置決め突部に対応して設けられ前記位置決め突部が挿入されて前記化粧材が位置決めされる挿入孔を有し、
前記一方側に配置された前記位置決め突部と前記他方側に配置された前記位置決め突部とは、互いの間隔を変更可能であることを特徴とする戸体。
【請求項２】
請求項１に記載の戸体であって、
前記一方側に配置された前記位置決め突部は移動不能に設けられ、前記他方側に配置された前記位置決め突部は移動可能に設けられていることを特徴とする戸体。
【請求項３】
請求項２に記載の戸体であって、
前記一方側に配置された前記位置決め突部と前記他方側に配置された前記位置決め突部とは上下方向に間隔が隔てられており、
前記一方側は前記化粧材の下端側であることを特徴とする戸体。
【請求項４】
請求項３に記載の戸体であって、
前記化粧材は、前記パネル体の表面とともに上下方向に沿う空間を形成し、前記パネル体側に開放された開放部を有する化粧材本体と、前記化粧材本体の上端及び下端からそれぞれ挿入されて当該化粧材本体の小口を塞ぐ端部キャップとを備え、
前記位置決め突部は、前記端部キャップに設けられていることを特徴とする戸体。
【請求項５】
請求項３に記載の戸体であって、
前記化粧材は、前記パネル体の表面とともに上下方向に沿う空間を形成し、前記パネル体側に開放された開放部を有する化粧材本体と、前記化粧材本体の上端及び下端からそれぞれ挿入されて当該化粧材本体の小口を塞ぐ端部キャップとを備え、
前記位置決め突部は、前記化粧材本体に設けられていることを特徴とする戸体。
【請求項６】
請求項１乃至請求項５のいずれかに記載の戸体であって、
前記位置決め突部は、互いに間隔が隔てられている方向と交差する方向に複数設けられていることを特徴とする戸体。
【発明の詳細な説明】
【技術分野】
【０００１】
本発明は、表面に化粧材が取り付けられている戸体に関する。
【背景技術】
【０００２】
表面に化粧材が取り付けられている戸体としては、例えば、扉体の屋外側の表面に上下方向に沿ってその全長に渡って化粧材が取り付けられているドアが知られている(例えば、特許文献１参照)。化粧材には、化粧材の両端部からそれぞれ挿入されて小口を塞ぐキャップが取り付けられており、キャップの、化粧材に挿入されている挿入部の先端近傍には、扉体に向かって突出する略円錐形状の突起部が設けられている。キャップが取り付けられた化粧材は、扉体の表面をなす金属パネルに設けられた挿入孔に突起部が挿入されることで位置決めされている。
【先行技術文献】
【特許文献】
【０００３】
【特許文献１】特許第５３８５２２７号公報
【発明の概要】
【発明が解決しようとする課題】
【０００４】
上記の化粧材のように、両端部のキャップにそれぞれ設けられた突起部は、各キャップおよび化粧材の製造精度や取り付け精度により２つの突起部の間隔にばらつきが生じる。特に上記化粧材のように２つの突起部が長尺の部材の両端部に設けられている場合には、間隔のばらつきがより大きくなる。このため、取り付け性を向上させるために、突起部が挿入される挿入孔のうちの一方を長孔とすることにより、２つの突起部の間隔のばらつきを吸収することが一般的である。しかしながら、扉は、火災の際に火炎の貫通を防ぐ必要があるため、扉体に形成される孔はできるだけ小さく抑えることが望ましい。
【０００５】
本発明は、かかる課題に鑑みてなされたものであり、その目的とするところは、化粧材を位置決めして容易に取り付けることを可能としつつもパネル体に設ける位置決め孔をより小さく抑えることが可能な戸体を提供することにある。
【課題を解決するための手段】
【０００６】
かかる目的を達成するために本発明の戸体は、パネル体の表面に化粧材が取り付けられている戸体であって、前記化粧材は、前記パネル体側に向かって突出し互いに間隔を隔てて当該化粧材の一方側と他方側とにそれぞれ配置された位置決め突部を備え、前記パネル体は、各々の前記位置決め突部に対応して設けられ前記位置決め突部が挿入されて前記化粧材が位置決めされる挿入孔を有し、前記一方側に配置された前記位置決め突部と前記他方側に配置された前記位置決め突部とは、互いの間隔を変更可能であることを特徴とする戸体である。
【０００７】
このような戸体によれば、パネル体に対して化粧材の位置決めをするために、互いに間隔を隔てて化粧材の一方側と他方側とにそれぞれ配置された位置決め突部は、互いの間隔を変更可能なので、パネル体に設けられて位置決め突部が各々挿入される挿入孔の間隔に合わせて間隔を変更することが可能である。すなわち、パネル体に設けられた挿通孔の間隔における加工上の誤差やばらつきを位置決め突部側にて吸収することが可能である。このため、挿通孔はいずれも、位置決め突部に対する調整代を含めた長孔とする必要はないので、互いの間隔が隔てられている方向と交差する方向において化粧材を位置決めして容易に取り付けることを可能としつつもパネル体に設ける挿入孔をより小さく抑えることが可能である。
【０００８】
かかる戸体であって、前記一方側に配置された前記位置決め突部は移動不能に設けられ、前記他方側に配置された前記位置決め突部は移動可能に設けられていることが望ましい。
このような戸体によれば、一方側に配置された位置決め突部は移動不能なので、一方側の位置決め突部と他方側の位置決め突部との間隔が隔てられている方向においても化粧材を位置決めすることが可能である。
【０００９】
かかる戸体であって、前記一方側に配置された前記位置決め突部と前記他方側に配置された前記位置決め突部とは上下方向に間隔が隔てられており、前記一方側は前記化粧材の下端側であることが望ましい。
【００１０】
このような戸体によれば、上下方向に間隔が隔てられている位置決め突部のうち移動不能な位置決め突部は、下端側に設けられているので、化粧材は下端側の位置が上端側より正確に配置される。すなわち、化粧材は、戸体が取り付けられた状態で、上端側より目につき易い下端側がより正確に配置されるので、より美観に優れた戸体を提供することが可能である。
【００１１】
かかる戸体であって、前記化粧材は、前記パネル体の表面とともに上下方向に沿う空間を形成し、前記パネル体側に開放された開放部を有する化粧材本体と、前記化粧材本体の上端及び下端からそれぞれ挿入されて当該化粧材本体の小口を塞ぐ端部キャップとを備え、前記位置決め突部は、前記端部キャップに設けられていることが望ましい。
このような戸体によれば、位置決め突部が端部キャップに設けられているので、化粧材本体に特段の加工を施すことなく、位置決めしやすい化粧材を実現することが可能である。
【００１２】
かかる戸体であって、前記化粧材は、前記パネル体の表面とともに上下方向に沿う空間を形成し、前記パネル体側に開放された開放部を有する化粧材本体と、前記化粧材本体の上端及び下端からそれぞれ挿入されて当該化粧材本体の小口を塞ぐ端部キャップとを備え、前記位置決め突部は、前記化粧材本体に設けられていることとしてもよい。
このような戸体によれば、位置決め突部が単一の化粧材本体に設けられているので、取り付けによる誤差が累積されない。このため、より正確に化粧材を位置決めすることが可能である。
【００１３】
かかる戸体であって、前記位置決め突部は、互いに間隔が隔てられている方向と交差する方向に複数設けられていることが望ましい。
このような戸体によれば、位置決め突部が、互いに間隔が隔てられている方向と交差する方向に複数設けられているので、化粧材が傾いて取り付けられることを抑えることが可能である。
【発明の効果】
【００１４】
本発明によれば、化粧材を位置決めして容易に取り付けることを可能としつつもパネル体に設ける位置決め孔をより小さく抑えることが可能な戸体を提供することが可能である。
【図面の簡単な説明】
【００１５】
【図１】本実施形態に係る扉を屋外側から見た正面図である。
【図２】扉のパネル体と化粧材とを説明する斜視図である。
【図３】扉の平断面図である。
【図４】化粧モールの構成を示す斜視図である。
【図５】図５Ａは、化粧材本体と端部キャップとを示す斜視図であり、図５Ｂは、端部キャップが取り付けられた状態を示す斜視図である。
【図６】図６Ａは、位置決め突部が設けられた化粧材本体を示す斜視図であり、図６Ｂは、化粧モールの変形例を示す斜視図である。
【図７】化粧モールの変形例の一部を示す平断面図である。
【発明を実施するための形態】
【００１６】
以下、本発明の一実施形態に係る戸体について図面を参照して説明する。
本実施形態では、戸体として、玄関に用いられる玄関扉を例に挙げて説明する。
【００１７】
以下の説明においては、玄関扉（以下、扉という）が建物に取り付けられている状態で屋外側から見たときに、上下となる方向を上下方向、左右となり扉の幅となる方向を左右方向または幅方向、屋内外方向である奥行き方向を見込み方向または扉の厚み方向として示す。扉の各部位であっても、また、扉を構成する各部材については単体の状態であっても、扉が取り付けられた状態で上下方向、左右方向、見込み方向等となる方向にて方向を特定して説明する。
【００１８】
扉１は、図１に示すように、扉１の本体をなすパネル体２と、パネル体２の室外側表面の左右方向におけるほぼ中央に、上下方向の全長にわたり固定される化粧材として３本の化粧モール１０と、を有している。図１においては、右側が吊り元側となり、扉１は、右側の端部に設けられたヒンジ３ａにより枠体３（図３）に回動自在に支持される。
【００１９】
パネル体２は、図２、図３に示すように、パネル状に形成された発泡ウレタン製の芯材４と、芯材４の外周を囲むように設けられた不燃性である鉄製のフレーム５と、芯材４の屋外側及び屋内側の面を覆い塗装や処理などの化粧が施された鋼板製の表面材６と、を有している。パネル体２の屋外側の表面材６には、この表面材６に取り付けられる３本の化粧モール１０を位置決めするための円形状の挿入孔としての位置決め孔６ａが、１本の化粧モール１０に対して上下端部にそれぞれ２つずつ、合計４つ設けられている。またパネル体２には、戸先側に扉１を開閉するためのハンドル及びハンドルドル操作により出没して枠体と係合するラッチ機構が設けられているが図２、図３においては図示を省略している。
【００２０】
図３〜図５に示すように、３本の化粧モール１０は各々、アルミニウム製の押し出し成形部材でなる化粧材本体１１と、化粧材本体１１の上下の小口を覆う合成樹脂製の端部キャップ１２と、を有している。
【００２１】
化粧材本体１１は、屋外に臨み左右方向の中央がパネル体２側に窪むように湾曲した正面湾曲部１１ａと、正面湾曲部１１ａの左右方向における縁からパネル体２側に延出されて見込面を形成する見込み壁部１１ｂと、見込み壁部１１ｂのパネル体２側の先端から各々互いに対向する側に延出された外延出片１１ｃと、化粧材本体１１の左右の幅の左右の見込み壁部１１ｂと各々化粧材本体１１の幅の約１／４程の距離を隔てて見込み壁部１１ｂと平行に設けられた２つのリブ１１ｄと、リブ１１ｄのパネル体２側に設けられパネル体２側に開放されたＵ字状をなし先端がパネル体２に当接されるＵ型当接片１１ｅと、各Ｕ型当接片１１ｅにて各々見込み壁部１１ｂと対向する部位の先端から当該見込み壁部１１ｂ側に延出された内延出片１１ｆと、を有している。
【００２２】
すなわち化粧材本体１１は、左右のリブ１１ｄ及び各リブ１１ｄと繋がったＵ型当接片１１ｅの間に左右のＵ型当接片１１ｅ間が開放されて上下方向に連通する中央連通空間１１ｇと、左側の見込み壁部１１ｂおよび左側の見込み壁部１１ｂと繋がった外延出片１１ｃと左側のリブ１１ｄおよび左側のリブ１１ｄとＵ型当接片１１ｅを介して繋がった内延出片１１ｆとの間に外延出片１１ｃと内延出片１１ｆとの間が開放されて上下方向に連通する左連通空間１１ｈと、右側の見込み壁部１１ｂおよび右側の見込み壁部１１ｂと繋がった外延出片１１ｃと左側のリブ１１ｄおよび右側のリブ１１ｄとＵ型当接片１１ｅを介して繋がった内延出片１１ｆとの間に外延出片１１ｃと内延出片１１ｆとの間が開放されて上下方向に連通する右連通空間１１ｉと、を有している。
【００２３】
左連通空間１１ｈを形成する部位と右連通空間１１ｉを形成する部位とは線対象な形状をなしている。以下の説明においては、左右のＵ型当接片１１ｅ間の開放された部位を中央開放部１１ｊとし、左側の外延出片１１ｃと内延出片１１ｆとの間の開放された部位を左開放部１１ｋとし、右側の外延出片１１ｃと内延出片１１ｆとの間の開放された部位を右開放部１１ｌとする。
【００２４】
端部キャップ１２は、中央連通空間１１ｇおよび左右の連通空間１１ｈ、１１ｉに嵌合されて化粧材本体１１の小口１１ｍを覆うキャップ本体１３と、キャップ本体１３にスライド自在に支持されて化粧モール１０をパネル体２に対して位置決めする位置決め突部１４ａを備えたスライドピース１４と、を有している。
【００２５】
キャップ本体１３は、化粧材本体１１の小口１１ｍより僅かに大きな板状をなす端部板部１３１と、端部板部１３１の一方の面側に突出し、中央連通空間１１ｇ及び左右の連通空間１１ｈ、１１ｉにそれぞれ嵌入される中央嵌入部１３２、左嵌入部１３３および右嵌入部１３４を備えている。
【００２６】
中央嵌入部１３２は、パネル体２の表面とほぼ平行に対面し屋外側の面が化粧材本体１１の正面湾曲部１１ａの内面に当接される対面当接部１３２ａと、対面当接部１３２ａの左右の端部と繋がるとともに左右のリブ１１ｄに近接して対面する側対面部１３２ｂと、が端部板部１３１から突出されている。側対面部１３２ｂは、中央嵌入部１３２が中央連通空間１１ｇに嵌入されて対面当接部１３２ａが正面湾曲部１１ａに当接されたときに、屋内側の先端１３２ｃが各々Ｕ型当接片１１ｅに当接するように構成されている。
【００２７】
左嵌入部１３３と右嵌入部１３４とは、見込み方向に沿う線に対して線対称な形状をなしている。このため、ここでは左嵌入部１３３を例に挙げて説明し、右嵌入部１３４の左嵌入部１３３と対応する各部位には、右嵌入部１３４を示す「１３４」に左嵌入部１３３と同アルファベットを付して示し説明は省略する。
【００２８】
左嵌入部１３３は、水平断面が長方形状をなす嵌入本体部１３３ａと、嵌入本体部１３３ａの左側の縁から屋外側に突出する左突出片１３３ｂと、嵌入本体部１３３ａの屋内側から左開放部１１ｋに突出する屋内側突出部１３３ｃと、嵌入本体部１３３ａの屋内側の縁から内延出片１１ｆに沿うように右方向に延出された右延出部１３３ｄと、右延出部１３３ｄの右端から屋外側に延出された右端壁部１３３ｅと、右端壁部１３３ｅの屋外側の端部から右延出部１３３ｄとほぼ平行に右方向に延出されて左側のリブ１１ｄに当接されるリブ当接片１３３ｆと、を有している。
【００２９】
嵌入本体部１３３ａの上端部には、屋内側、すなわちパネル体２側に開放された凹部１３３ｇが設けられている。この凹部１３３ｇは、上端から下方に左嵌入部１３３の高さ方向の約１／３程度に設けられており、嵌入本体部１３３ａの上部にて嵌入本体部１３３ａの左右の側面１３３ｈおよび屋外側の面１３３ｉをなす３つの壁部によって形成されており、屋内側突出部１３３ｃは設けられていない。
【００３０】
３つの壁部は、左右の側面１３３ｈをなす左壁部１３３ｊおよび右壁部１３３ｋと、左壁部１３３ｊと右壁部１３３ｋとに屋外側で繋がった連結壁部１３３ｌとである。左壁部１３３ｊと右壁部１３３ｋとが互いに対向する内面側には、互いに対向する位置に上下方向に沿って突出するガイド突起１３３ｍが設けられている。ガイド突起１３３ｍは、凹部１３３ｇの見込み方向における中央より僅かに屋内側に配置されている。
【００３１】
スライドピース１４は、キャップ本体１３の凹部１３３ｇに挿入されてガイド突起１３３ｍに沿って上下方向にスライド可能なブロック状の部材である。スライドピース１４は、ほぼ直方体状をなすスライダー本体１４ｂと、スライダー本体１４ｂから屋内側に突出する位置決め突部１４ａと、を有している。
【００３２】
スライダー本体１４ｂは、左右の側面に各々内側に窪み上下方向に沿う溝部１４ｃを有しており、この溝部１４ｃにガイド突起１３３ｍが挿入されるようにキャップ本体１３の凹部１３３ｇに装着される。スライダー本体１４ｂは、凹部１３３ｇに装着された際に、上端部が左壁部１３３ｊ、右壁部１３３ｋおよび連結壁部１３３ｌの上端とほぼ同じ面を形成し、スライダー本体１４ｂの屋内側の面１４ｄは、屋内側突出部１３３ｃの屋内側の面とほぼ同じ面を形成するように形成されている。本実施形態のスライダー本体１４ｂは、嵌入本体部１３３ａの凹部１３３ｇに軽圧入されており、外力が作用しない状態ではスライドせず、外力が作用したときにガイド突起１３３ｍに沿ってスライドするように構成されている。
【００３３】
位置決め突部１４ａは、スライダー本体１４ｂの屋内側の面のほぼ中央から屋内側に突出させて設けられている。位置決め突部１４ａは、パネル体２の表面と平行な面で切断した際の切断面が十字状をなし、先端側は先端に向かって上下左右の幅がいずれも狭くなるようにテーパー状をなしている。位置決め突部１４ａのスライダー本体１４ｂ側の部位は、上下左右の幅がいずれも、パネル体２の屋外側の面をなす表面材６に設けられた円形状の位置決め孔６ａの直径とほぼ一致するように形成されている。
【００３４】
各化粧モール１０は、スライドピース１４が嵌入本体部１３３ａの凹部１３３ｇに装着された状態で、化粧材本体１１に嵌入されてパネル体２に取り付けられる。このとき、化粧材本体１１の内延出片１１ｆにおける屋内側の面には、両面テープが設けられており、化粧モール１０の上下端部に設けられた位置決め突部１４ａが、パネル体２の屋外側の面をなす表面材６の位置決め孔６ａに挿入されて両面テープで固定される。このとき、上下の端部キャップ１２がいずれもスライドピース１４を備えている場合には、少なくとも化粧モール１０が左右方向に位置決めされ、上端側および下端側のいずれか一方の端部キャップ１２のみスライドピース１４を備え他方の端部キャップ１２がキャップ本体１３とスライドピース１４が一体をなすような端部キャップ１２の場合には、化粧モール１０が上下方向にも位置決めされる。
【００３５】
本実施形態の扉１によれば、パネル体２に対して化粧モール１０の位置決めをするために、互いに間隔を隔てて化粧モール１０の一方側と他方側とにそれぞれ配置された位置決め突部１４ａは、互いの間隔を変更可能なので、パネル体２に設けられて位置決め突部１４ａが各々挿入される位置決め孔６ａの間隔に合わせて間隔を変更することが可能である。すなわち、パネル体２に設けられた位置決め孔６ａの間隔における加工上の誤差やばらつきを位置決め突部１４ａ側にて吸収することが可能である。このため、位置決め孔６ａはいずれも長孔とする必要はなく円形状とすることが可能なので、互いの間隔が隔てられている方向と交差する方向において化粧モール１０を位置決めして容易に取り付けることを可能としつつもパネル体２に設ける位置決め孔６ａをより小さく抑えることが可能である。そして、パネル体２に形成される位置決め孔６ａが、調整代を備えた長孔ではなく、円形状の位置決め孔６ａなので、例えば、火災等により扉１が火炎に晒されたとしても、炎が扉１の反対側に貫通すること（扉１の反対側に火炎が噴出すること）を抑制することが可能である。
【００３６】
また、互いに間隔を隔てた位置決め突部１４ａのうち、一方側に配置された位置決め突部１４ａを移動不能な構成とすると、位置決め突部１４ａの間隔が隔てられている方向、すなわち上下方向においても化粧モール１０を位置決めすることが可能である。
【００３７】
このとき、本実施形態のように化粧モール１０が上下方向に沿ってパネル体の全長に渡って配置される化粧モール１０の場合には、上下方向に間隔が隔てられている位置決め突部１４ａのうち移動不能な位置決め突部１４ａは、下端側に設けられているので、化粧モール１０は下端側の位置が上端側より正確に配置される。すなわち、化粧モール１０は、扉１が取り付けられた状態で、上端側より目につき易い下端側がより正確に配置されるので、より美観に優れた扉１を提供することが可能である。
【００３８】
また、位置決め突部１４ａが端部キャップ１４に設けられているので、化粧材本体１１に特段の加工を施すことなく、位置決めしやすい化粧モール１０を実現することが可能である。
【００３９】
また、本実施形態においては、位置決め突部１４ａが、端部キャップ１２に、上下方向と交差する左右方向にも設けられているので、化粧モール１０が傾いて取り付けられることをより効果的に抑えることが可能である。
【００４０】
上記実施形態においては、互いの間隔を変更可能に設けられた位置決め突部１４ａが端部キャップ１２に設けられている例について説明したが、これに限らず、図６、図７に示すように、化粧材本体１１に上下方向に移動可能に設けられていてもよい。すなわち、位置決め突部１５ａを備えたスライドピース１５が、左連通空間１１ｈと右連通空間１１ｉとにそれぞれ挿入され、外延出片１１ｃと内延出片１１ｆとに案内されて上下方向にスライドする構成であっても構わない。この場合には、位置決め突部１５ａが単一の化粧材本体１１に設けられているので、取り付けによる誤差が累積されない。このため、より正確に化粧モール１０をパネル体２に位置決めすることが可能である。
【００４１】
上記実施形態においては、戸体として玄関扉１を例に挙げて説明したが、これに限らず、居室などの室内外を仕切る扉であっても構わない。また、扉に限らず、引戸などの障子やＦＩＸ障子などであっても構わない。
【００４２】
上記実施形態においては、パネル体２を室内側にて覆っている表面材６およびフレーム５を不燃性の鋼板製としたが、ステンレスや鉄等の不燃性の金属等は、もちろんのこと、難燃性の材料で構成しても構わない。
【００４３】
また、上記実施形態においては、芯材４を発泡ウレタン製としたが、これに限るものではなく、屋内外の表面材６の間に介在されて屋内外の表面材の間隔を確保し維持可能な部材であれば構わない。たとえば、ペーパーハニカムやペーパーハニカムに水酸化アルミニウムを浸透させた芯材、ペーパーハニカムにグラスウールを詰めた芯材等を用いることにより、耐火性を更に向上させることが可能である。
【００４４】
また、上記実施形態においては、位置決め孔６ａを円形状としたが、矩形状やその他の形状であっても構わない。また、位置決め突部１４ａも上記実施形態で説明した形状以外であっても構わない。要するに、位置決め孔および位置決め突部の形状は、位置決め突部が位置決め孔に挿入されて化粧モール等の化粧材が位置決めされる形状であれば構わない。このとき位置決め孔はより小さいことが望ましい。
【００４５】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  扉（玄関扉）、２  パネル体、６  表面材、６ａ  位置決め孔、
１０  化粧モール、１１  化粧材本体、１１ｇ  中央連通空間、
１１ｈ  左連通空間、１１ｉ  右連通空間、１１ｊ  中央開放部、
１１ｋ  左開放部、１１ｌ  右開放部、１１ｍ  小口、
１２  端部キャップ、１３  キャップ本体、１４  スライドピース、
１４ａ  位置決め突部、１５  スライドピース、１５ａ  位置決め突部、
【図１】
2015224430.tif 000003
【図２】
2015224430.tif 000004
【図３】
2015224430.tif 000005
【図４】
2015224430.tif 000006
【図５】
2015224430.tif 000007
【図６】
2015224430.tif 000008
【図７】
2015224430.tif 000009